(57)【特許請求の範囲】
【請求項１】
ブーツ１の内周の略水平面内で２以上の個所に当接するようにその内寸に応じて移動可能な内周保形部２と吊り下げ部３を有し、この吊り下げ部３の適所両側に、自重にて直立方向から略水平方向に回動可能に一対のリンク２ａ、２ａの一端を枢支すると共に、このリンク２ａ、２ａの他端のみを内周保形部２に枢支したことを特徴とするブーツ保持具。
【発明の詳細な説明】
【０００１】
【産業上の利用分野】
本発明は、ブーツの保形具及びそれを用いたブーツの保形保持装置に関するものである。
【０００２】
【従来の技術】
従来、ブーツ、長靴等（以下単にブーツと称する）は長尺になればなるほど軟弱で変形しやすく、使用時の下駄箱への収納、非使用時の保管等に形が崩れやすい。それを防止するためには内側に詰め物を詰めたり、ブーツの上端を挟んで吊り下げたりしている。
【０００３】
しかしながら内側に詰め物をするのは、寸法が長いほど作業が結構煩雑で実用的でない。また挟み具で上端を挟んで吊り下げる場合には保管は簡単であるが、型崩れは避けられない。はさみつけると、靴にはさみ具による跡形を残しやすい欠点があった。
【０００４】
【発明が解決しようとする課題】
解決しようとする問題点は、ブーツの日常の保管作業が簡単に行えるようにし、かつ型崩れを防止した状態で吊り下げ保持する点である。
【０００５】
【課題を解決するための手段】
本発明は、ブーツ１の内周の略水平面内で２以上の個所に当接するようにその内寸に応じて移動可能な内周保形部２と吊り下げ部３を有し、この吊り下げ部３の適所両側に、自重にて直立方向から略水平方向に回動可能に一対のリンク２ａ、２ａの一端を枢支すると共に、このリンク２ａ、２ａの他端のみを内周保形部２に枢支したことを最も主要な特徴とする。この構成により高価で柔軟なブーツであっても変形させることなく、長時間安定して吊り下げ保持することを実現し、これによりブーツの日常またはシーズンオフの保管作業が簡単に行えるようにし、かつ型崩れを防止する目的を簡単に実現した。
【００１１】
【実施例】
図１は、本発明の１実施例の斜視図であって、吊り下げ部３の下方垂下部の上下２箇所に、２対のリンク２ａ、２ａ、２ｂ、２bのそれぞれの一端が枢支され、他端が内周保持部２、２に枢支されている。ここで図示例は上下２箇所にリンクを設けたが、上下の何れか一方でも構わない。
尚、内周保形部２は２以上であれば何箇所に設けても構わない。内周保形部２は弾性樹脂、樹脂被覆金属板等ブーツ１の内周面を傷つけないものが好ましい。
ここでリンクの動きは、垂直方向から略水平方向まで自重により自由に回転できるものであって、力を抜くと自重で外方に広がるもので、その際にブーツ１内周を内周保持部２で弾性保持できる。
内周保形部２の広がりは、自然な状態で内周保形部２間の外寸がブーツ１の内径よりもやや大きな寸法としておき、内周保持部２、２を内側に押し込み、ブーツ１の中に入れて力を抜くと、内周保持部２がブーツ１の内周部に弾接する。この状態でブーツ１を立て置いても良いし、保形具本体Ａの上端の吊り下げ部３を下駄箱のフックやレール等に吊り下げて収納してもよい。また後述のスタンド７に吊り下げて保持させることもできる。
この例では図２の想像線のように内周保持部２を上方に持ち上げることにより内方に寄せ外寸を細くしてブーツ１内に挿入し、手を離すと自重で内周保持部２が実線方向に戻りブーツ１内周に当接して保持できる。
【００１４】
またいずれの場合でも、内周保持部２はほぼ円筒形状になるようにする他、やや上方が太くなるようにしておくと、底よりも口の方がやや広くなったブーツ１の形状にフィットして広い面で内周保持部２がブーツ１内周に接触し、保形保持が確実となる。
【００１５】
図３、４は本発明の保形具を吊り下げるスタンド７の例を示す。図３はアジャスタ８で台座９の水平の調整、アジャスタ１０でポール１１の高さの調整が可能である。ポール１１の上部には引っ掛け部１２が設けられ、吊り下げ部３を引っ掛け部１２に吊り下げるようになっている。引っ掛け部１２の両端には落下止め１３が設けられる。
図４は紙、プラスチック、木質材、薄金属板等で構成された収納箱１４の内部に引っ掛け部１２を設けたもので、収納箱１４は上記のスタンド７の機能を兼ね備え、またそのまま包装用の化粧箱とすることもできる。１４aは必要に応じて設けられる蓋である。
【００１６】
図５の実施例は、図１の実施例のリンク２ａ、２ａ、2ｂ、2ｂにばね２０を追加したもので、常時リンクをブーツ１の内周面に押し付ける方向にばね力を付与している。
ばね２０はリンクが複数組ある場合でも通常は上部のリンクのみに施せばよいが、逆に下方のみに施してもよいし、全部のリンクに施してもよい。
内周保持部２の外周はなだらかな曲面としブーツの上部の形状に応じて上方の方が下方よりもやや太くしてある。また外周には必要に応じて滑り止めを施しておくことができる。
【００１７】
図中３０ａ、３０ｂは内周保持部２の内周部に施された上下の軸孔であり、３１ａ、３２ｂは釣り下げ部３の軸孔、３２はばね２０の外れ止め軸である。３３、３４はリンク２ａ、２ｂの軸、３５はばね２０の支持部、３６はばね２０の外れ止めである。
軸３３、３４を軸孔３０ａ、３０ｂに軸支させることにより、リンク２ａ、２ｂを介して釣り下げ部３に内周保持部２、２を連結する。また２０ａ、２０ｂはばね２０の支持端、２０ｃはひねり部で、このひねり部２０ｃを上記外れ止め軸３２に軸支し、支持端２０ａ、２０ｂを支持部３５に回動自在に軸支する。ばね２０はリンク２ａ、２ｂの外側と外れ止め３６に挟持されて摺動するようになっている。
ばねの形態は、図示例ではひげばね、ひねりばねであるが、コイルばねでもよい。
【００１８】
常時は実線で示すように内周保持部２，２は外側に広がっているので、内周保持部の上部に突設された摘まみ２２，２２を摘んで想像線で示すように内周保持部を内側に引き寄せて、この状態で内周保持部をブーツ内に挿入して摘みを離すと、内周保持部はリンクを加えた自重及びばね力により外側に広がり、ブーツの内周に押し付けられ、摩擦力によりブーツを保持するもので、この状態で吊り下げ部３をスタンド７の引っ掛け部１２やげた箱の引っ掛けパイプ等に吊り下げることができる。
内周保持部２、リンク２ａ、２ｂ等を軽量な素材、アルミニウムやプラスチック等で形成した場合、その自重だけではブーツ１内周面への十分な押し付け力が得られない場合や、ブーツ１が比較的重い場合でも内周保持部２に十分な押し付け力を与えることができる。
スタンド７は、ブーツ１を保形保持した保形具の吊り下げ部３を引っ掛け部１２に吊り下げて保持するもので、そのまま下駄箱に収納しても良いし、或いは部屋の片隅に置いてブーツスタンドとして使用できる。また靴店やデパートの靴売り場では、このようにブーツ１をスタンド７に吊り下げた状態で展示することができる。
更に、一般的にブーツは冬季に使用され、店頭に展示されるが、夏季には納戸や倉庫などに収納保管される。その場合、上記のように保形具本体Ａを挿入した状態でブーツを深めのコンテナに立てた状態で収納し保管することもできる。
【００１９】
【発明の効果】
以上説明したように本発明は、ブーツ１の内周の略水平面内で２以上の個所に当接するようにその内寸に応じて移動可能な内周保形部２を有すると共に吊り下げ部３を有するものであるから、内周保持部２をブーツ１内に挿入して手を離すだけで簡単にブーツ１の形状を保った状態で吊り下げ保持することができる利点がある。
また、一端が引っ掛け部３の下部に枢支されたリンク２ａ、２ａの他端のみに内周保形部２を軸支したので、内周保形部3は全体が外方に移動してその略全面がブーツ1内面に接触するものであり、ブーツ１に掛かる圧力が全面に分散し、局所に集中することがなくなり、湿っている場合や柔らかい皮革の場合であってもブーツ１を変形させることなく安全に保形保持できる利点がある。
即ち、従来のようにハンドル操作でリンクの位置を調整するものであれば、内周保形部の位置を使用する者が一々調整しなければならない上に、緩ければ滑り落ち、きつければ、ブーツを変形させ、しかも吊り下げ時はピッタリフィットしていても、時間が経過してブーツが広がれば滑り落ちやすい欠点は免れ得なかったが、本発明にあっては、ブーツの口に挿入して手を離すと自動的に広がってそのままピッタリとフィットし、操作性が極めてよく、加えて、ブーツとの摩擦で更にリンクが広げられ、無理な力がブーツに加わらず、ブーツを変形させることが低減される。しかも時間が経過してブーツが広がったとしても、リンクが自重で広がり内周保形部がスムーズにブーツに追従し、ブーツの滑り落ちを巧みに防止できる大きな利点がある。
換言すれば、従来のものは、ブーツ内面に当接する程度に軽く横に広がるだけなら滑り落ちるので、踵等の出っ張り部に引っかかることが必須であったが、踵等の出っ張り部に引っ掛けず、ブーツ上部のみを落ちないように横に広げると、ブーツを変形させるくらいの大きな力が加わる欠点があった。
しかしながら、本発明は、内周保形部が横に広がるだけではなく、下がりながら横に広がるので、ブーツ内周に内周保形部が一旦接触すると、下向きの摩擦力が内周保形部を広げる方向に作用してこれを更に外方に広げて、いわば楔効果を発揮し、無理な力を加えずとも、巧みにブーツの落下を防いで簡単に吊り下げることができるようになった。即ち、ブーツが自重で下に下がろうとすると、その力で内周保持部が外方に広がってブーツが落下しないのであるため、ブーツに過大な広がり方向の力が掛からず、ブーツに変形が生じないのである。
【図面の簡単な説明】
【図１】本発明の一実施例の斜視図である。
【図２】同上の使用状態を示す要部概略図である。
【図３】本発明のスタンドの一実施例の斜視図である。
【図４】本発明のスタンドとして収納箱を用いた例の斜視図である。
【図５】リンクにばねを追加した実施例の概略図である。
【図６】同上の要部を示すもので、（ａ）はリンクの平面図、（ｂ）ばねの平面図、（ｃ）は吊り下げ部の平面図。
【符号の説明】
１    ブーツ
２    内周保形部
２a    リンク
２b    リンク
３    吊り下げ部
２０  ばね
【図１】
0003584295.tif 000002
【図２】
0003584295.tif 000003
【図３】
0003584295.tif 000004
【図４】
0003584295.tif 000005
【図５】
0003584295.tif 000006
【図６】
0003584295.tif 000007